(57)【要約】【課題】電源装置にてコンデンサの異常診断に要する時間を短くする。【解決手段】電源装置１では、センサ６０とＡＤ変換回路４０との間をマルチプレクサ３０が接続したときに、ＡＤ変換回路４０は、センサ６０から出力される出力信号をデジタル信号に変換する。コンデンサ２０とＡＤ変換回路４０との間をマルチプレクサ３０が接続したときに、ＡＤ変換回路４０は、コンデンサ２０の出力電圧をデジタル信号に変換する。コンデンサ２０とＡＤ変換回路４０との間をマルチプレクサ３０が接続したときに、診断回路５０は、ＡＤ変換回路４０から出力されるデジタル信号に基づいてコンデンサ２０に異常が生じているか否かを判定する。【選択図】図１
2014225954.tif 000002
【特許請求の範囲】
【請求項１】
電源電圧を出力する電源回路（１０）と
前記電源回路から負荷に出力される前記電源電圧の変動を抑制するコンデンサ（２０）と、
出力信号を出力する信号出力器（６０）と、
アナログ信号をデジタル信号に変換するアナログデジタル変換回路（４０）と、
前記コンデンサおよび前記信号出力器のうちいずれか一方と前記アナログデジタル変換回路との間を接続し、前記コンデンサおよび前記信号出力器のうち前記一方以外の他方と前記アナログデジタル変換回路との間を開放する選択回路（３０）と、を備え、
前記信号出力器と前記アナログデジタル変換回路との間を前記選択回路が接続したときに、前記アナログデジタル変換回路は、前記信号出力器から出力される出力信号を前記デジタル信号に変換し、前記コンデンサと前記アナログデジタル変換回路との間を前記選択回路が接続したときに、前記アナログデジタル変換回路は、前記コンデンサの出力電圧を前記デジタル信号に変換するものであり、
前記コンデンサと前記アナログデジタル変換回路との間を前記選択回路が接続したときに、前記アナログデジタル変換回路から出力される前記デジタル信号に基づいて前記コンデンサに異常が生じているか否かを判定する判定回路（５０）を備えることを特徴とする電源装置。
【請求項２】
前記判定回路は、前記コンデンサの出力電圧が当該出力電圧の正常範囲の下限値よりも小さいか否かを判定することにより、前記コンデンサに異常が生じているか否かを判定することを特徴とする請求項１に記載の電源装置。
【請求項３】
前記判定回路は、前記コンデンサの出力電圧が前記下限値よりも小さい状態が一定期間以上継続したか否かを判定することにより、前記コンデンサに異常が生じているか否かを判定することを特徴とする請求項２に記載の電源装置。
【請求項４】
前記判定回路は、前記コンデンサの出力電圧が当該出力電圧の正常範囲の上限値よりも大きいか否かを判定することにより、前記コンデンサに異常が生じているか否かを判定することを特徴とする請求項１ないし３のいずれか１つに記載の電源装置。
【請求項５】
前記判定回路は、前記コンデンサの出力電圧が前記上限値よりも大きい状態が一定期間以上継続したか否かを判定することにより、前記コンデンサに異常が生じているか否かを判定することを特徴とする請求項４に記載の電源装置。
【請求項６】
前記電源回路は、入力電圧を昇圧してこの昇圧した電圧を前記電源電圧として出力する昇圧回路であることを特徴とする請求項１ないし５のいずれか１つに記載の電源装置。
【請求項７】
前記昇圧回路は、チャージポンプ型電源回路であることを特徴とする請求項６に記載の電源装置。
【発明の詳細な説明】
【技術分野】
【０００１】
本発明は、電源装置に関するものである。
【背景技術】
【０００２】
従来の電源装置では、入力電圧を昇圧して出力する電源回路と、電源回路の出力端子とグランドとの間に接続されて電源回路から負荷に出力される出力電圧の変動を抑制するコンデンサと、コンデンサの正極電極とグランドとの間に接続されるトランジスタとを備えるものがある（例えば、特許文献１参照）。
【０００３】
このものにおいて、マイクロコンピュータは、コンデンサの故障診断を実施するために、電源回路の出力電圧によってコンデンサに対して十分に充電させた後に、トランジスタをオンさせる。これに伴い、コンデンサから電荷がトランジスタを通してグランドに放電される。この放電に伴ってコンデンサの出力電圧が変化する。マイクロコンピュータは、コンデンサの出力電圧の変化量を検出し、この検出した変化量に基づいてコンデンサが異常であるか否かを判定する。
【先行技術文献】
【特許文献】
【０００４】
【特許文献１】特開平９−２９５５５１号公報
【発明の概要】
【発明が解決しようとする課題】
【０００５】
上記特許文献１の電源装置では、コンデンサの故障診断を実施するために、コンデンサに対して充電した後に、トランジスタを通してコンデンサから電荷をグランド側に放電させる必要がある。このため、例えば、静電容量の大きなコンデンサを用いた場合には、コンデンサの充放電に長い時間を要する。よって、コンデンサの故障診断に要する時間が長くなる。
【０００６】
本発明は、上記点に鑑みて、コンデンサの故障診断に要する時間を短くした電源装置を提供することを目的とする。
【課題を解決するための手段】
【０００７】
上記目的を達成するため、請求項１に記載の発明では、電源電圧を出力する電源回路（１０）と、電源回路から負荷に出力される電源電圧の変動を抑制するコンデンサ（２０）と、出力信号を出力する信号出力器（６０）と、アナログ信号をデジタル信号に変換するアナログデジタル変換回路（４０）と、コンデンサおよび信号出力器のうちいずれか一方とアナログデジタル変換回路との間を接続し、コンデンサおよび信号出力器のうち一方以外の他方とアナログデジタル変換回路との間を開放する選択回路（３０）と、を備え、信号出力器とアナログデジタル変換回路との間を選択回路が接続したときに、アナログデジタル変換回路は、信号出力器から出力される出力信号をデジタル信号に変換し、コンデンサとアナログデジタル変換回路との間を選択回路が接続したときに、アナログデジタル変換回路は、コンデンサの出力電圧をデジタル信号に変換するものであり、コンデンサとアナログデジタル変換回路との間を選択回路が接続したときに、アナログデジタル変換回路から出力されるデジタル信号に基づいてコンデンサに異常が生じているか否かを判定する判定回路（５０）を備えることを特徴とする。
【０００８】
請求項１に記載の発明によれば、コンデンサとアナログデジタル変換回路との間を選択回路が接続したときに、アナログデジタル変換回路から出力されるデジタル信号に基づいてコンデンサに異常が生じているか否かを判定する。したがって、コンデンサを充放電させることなく、コンデンサの故障診断を実施することができる。よって、コンデンサの故障診断に要する時間を短くすることができる。
【０００９】
これに加えて、信号出力器とアナログデジタル変換回路との間を選択回路が接続したときに、アナログデジタル変換回路は、信号出力器から出力される出力信号をデジタル信号に変換する。このため、信号出力器の出力信号をデジタル信号に変換するための専用のアナログデジタル変換回路を設ける場合に比べて、電源回路の回路規模を小さくすることができる。
【００１０】
なお、この欄および特許請求の範囲で記載した各手段の括弧内の符号は、後述する実施形態に記載の具体的手段との対応関係を示すものである。
【図面の簡単な説明】
【００１１】
【図１】本発明の一実施形態における電源装置の回路構成を示す図である。
【図２】図１の昇圧回路の詳細を示す図である。
【図３】故障時の昇圧回路の出力電圧の波形を示す図である。
【図４】図１の診断回路の診断処理を示すフローチャートである。
【発明を実施するための形態】
【００１２】
以下、本発明の一実施形態の電源装置１について図１に基づいて説明する。
【００１３】
本実施形態の電源装置１は、図１に示すように、昇圧回路１０、コンデンサ２０、マルチプレクサ３０、ＡＤ変換回路４０、および診断回路５０を備える。
【００１４】
昇圧回路１０は、バッテリＢａから入力電圧Ｖｉｎとして入力されるバッテリ電圧を昇圧してこの昇圧した電圧を出力する電源回路である。本実施形態の昇圧回路１０として、図２に示すチャージポンプ型昇圧回路が用いられる。チャージポンプ型昇圧回路は、特開平２００４−１２９３７７号公報などに示すように、周知の回路である。そこで、以下、昇圧回路１０としてのチャージポンプ型昇圧回路の回路構成の概略について説明する。
【００１５】
昇圧回路１０は、図２に示すように、チャージポンプ回路１１、比較回路１２、およびパルス発生回路１３を備える。チャージポンプ回路１１は、ダイオードＤ１、Ｄ２、Ｄ３、Ｄ４、Ｄ５、コンデンサＣ１、Ｃ２、Ｃ３、Ｃ４、Ｃ５、インバータ回路Ｑ１、およびバァファ回路Ｑ２、Ｑ３を備える。ダイオードＤ１〜Ｄ５は、バッテリＢａの正極電極と出力端子Ｔａとの間で直列接続されている。コンデンサＣ１は、ダイオードＤ１のカソードとバァファ回路Ｑ２の出力端子との間に接続されている。コンデンサＣ２は、ダイオードＤ２のカソードとバァファ回路Ｑ３の出力端子との間に接続されている。コンデンサＣ３は、ダイオードＤ３のカソードとバァファ回路Ｑ２の出力端子との間に接続されている。コンデンサＣ４は、ダイオードＤ４のカソードとバァファ回路Ｑ３の出力端子との間に接続されている。コンデンサＣ５は、ダイオードＤ４のカソードとグランドとの間に接続されている。
【００１６】
バァファ回路Ｑ２は、パルス発生回路１３からインバータ回路Ｑ１を通して入力されるパルス信号に応じてコンデンサＣ１、Ｃ３の陰極電極（すなわち、グランド側電極）の電位を制御する。バァファ回路Ｑ３は、パルス発生回路１３から入力されるパルス信号に応じてコンデンサＣ２、Ｃ４の陰極電極の電位を制御する。比較回路１２は、抵抗素子Ｒ１、Ｒ２、コンパレータ１２ａ、および基準電圧生成回路１２ｂを備える。抵抗素子Ｒ１、Ｒ２は、コンデンサＣ５の正極電極とグランドとの間に直列接続されている。抵抗素子Ｒ１、Ｒ２は、コンデンサＣ５の出力電圧を抵抗素子Ｒ１、Ｒ２によって分圧した分圧電圧Ｖｆを共通接続端子Ｔｂから出力する分圧回路を構成する。共通接続端子Ｔｂは、抵抗素子Ｒ１、Ｒ２の間の共通接続部である。コンパレータ１２ａは、共通接続端子Ｔｂから出力される分圧電圧Ｖｆと基準電圧生成回路１２ｂから出力される基準電圧Ｖｒｅｈとを比較する。パルス発生回路１３は、コンパレータ１２ａの出力信号に応じてパルス信号を出力する。
【００１７】
図１のコンデンサ２０は、昇圧回路１０の出力電極とグランドとの間に接続されている。コンデンサ２０は、昇圧回路１０から負荷に出力される出力電圧の変動を抑制するコンデンサである。マルチプレクサ３０は、コンデンサ２０およびセンサ６０と、ＡＤ変換回路４０との間に配置されている選択回路である。マルチプレクサ３０は、コンデンサ２０およびセンサ６０のうち一方とＡＤ変換回路４０との間を接続し、コンデンサ２０およびセンサ６０のうち前記一方以外の他方とＡＤ変換回路４０との間を開放する。
【００１８】
センサ６０は、被検出対象の物理情報（例えば、温度、圧力、加速度）を検出してこの検出した物理情報示すアナログ信号を出力する信号出力器である。本実施形態のセンサ６０としては、温度センサ、圧力センサなどの各種のセンサが用いられる。ＡＤ変換回路４０は、マルチプレクサ３０を介して入力されるアナログ信号をデジタル信号に変換するアナログデジタル変換回路である。診断回路５０は、マイクロコンピュータ、メモリなどから構成されて、マルチプレクサ３０を制御するとともに、ＡＤ変換回路４０の出力信号に応じてコンデンサ２０の異常診断を実施する。
【００１９】
次に、本実施形態の電源装置１の作動について説明する。
【００２０】
まず、図２の昇圧回路１０において、共通接続端子Ｔｂからの分圧電圧Ｖｆが基準電圧生成回路１２ｂから出力される基準電圧Ｖｒｅｈよりも低いときには、コンパレータ１２ａがハイレベルの出力信号をパルス発生回路１３に出力する。これに伴い、パルス発生回路１３は、一定の周期Ｔｐにて信号レベルを変化させるパルス信号の出力を開始する。このため、バァファ回路Ｑ２には、パルス発生回路１３からのパルス信号がインバータ回路Ｑ１を通して与えられる。バァファ回路Ｑ３には、パルス発生回路１３からのパルス信号が与えられる。このとき、バァファ回路Ｑ２の出力信号は、ハイレベルとローレベルとが交互に繰り返す信号となる。バァファ回路Ｑ３の出力信号は、ローレベルとハイレベルとが交互に繰り返す信号となる。つまり、バァファ回路Ｑ２、Ｑ３の出力信号は、互いに逆位相になっている。
【００２１】
したがって、バァファ回路Ｑ２の出力信号のレベルがハイレベルで、かつバァファ回路Ｑ３の出力信号のレベルがローレベルであるときに、コンデンサＣ１、Ｃ３の陰極電極の電位がハイレベルになる。このとき、コンデンサＣ２、Ｃ４の陰極電極の電位がローレベルになる。このため、コンデンサＣ１の電荷がダイオードＤ２を通してコンデンサＣ２に移送される。これに加えて、コンデンサＣ３の電荷がダイオードＤ３を通してコンデンサＣ４に移送される。
【００２２】
次に、バァファ回路Ｑ２の出力信号がハイレベルからローレベルに変化し、かつバァファ回路Ｑ３の出力信号がローレベルからハイレベルに変化する。これに伴い、コンデンサＣ１、Ｃ３の陰極電極の電位がローレベルになり、コンデンサＣ２、Ｃ４の陰極電極の電位がハイレベルになる。このため、バッテリＢａからの電荷がダイオードＤ１を通してコンデンサＣ１に移送される。さらに、コンデンサＣ２の電荷がダイオードＤ３を通してコンデンサＣ３に移送される。これに加えて、コンデンサＣ４の電荷がダイオードＤ５を通してコンデンサＣ５に移送される。
【００２３】
その後、バァファ回路Ｑ２の出力信号のレベルがハイレベルになり、バァファ回路Ｑ３の出力信号のレベルがローレベルになる。このため、上述と同様に、コンデンサＣ１の電荷がダイオードＤ２を通してコンデンサＣ２に移送され、コンデンサＣ３の電荷がダイオードＤ３を通してコンデンサＣ４に移送される。このようにバァファ回路Ｑ２、Ｑ３の出力信号のレベルの変化に伴って、コンデンサＣ１〜Ｃ４の陰極電極の電位が変動する。このため、バッテリＢａの出力電圧がコンデンサＣ１→コンデンサＣ２→コンデンサＣ３→コンデンサＣ４→コンデンサＣ５の順に移送される。この電荷の移送に伴って、コンデンサＣ１、Ｃ２、Ｃ３、Ｃ４、Ｃ５の充電電圧は、後段側のコンデンサに向かうほど、高くなる。このことにより、バッテリ電圧が昇圧されてこの昇圧された出力電圧Ｖｏｕｔが電源電圧として出力端子Ｔａから負荷側に出力される。
【００２４】
次に、共通接続端子Ｔｂからの分圧電圧Ｖｆが基準電圧Ｖｒｅｈよりも高くなると、コンパレータ１２ａの出力信号レベルがハイレベルからローレベルに変化する。これに伴い、パルス発生回路１３はパルス信号の出力を停止する。このため、上述したコンデンサＣ１〜Ｃ４の電荷の移送が停止される。その後、共通接続端子Ｔｂからの分圧電圧Ｖｆが基準電圧Ｖｒｅｈよりも低くなると、コンパレータ１２ａの出力信号レベルがローレベルからハイレベルに変化する。これに伴い、パルス発生回路１３はパルス信号の出力を開始する。このため、上述と同様に、コンデンサＣ１〜Ｃ４の電荷の移送が開始される。
【００２５】
コンデンサＣ１〜Ｃ４の電荷の移送が実施されている際に、出力電圧Ｖｏｕｔは、変動する。具体的には、出力端子Ｔａから負荷側に流れる出力電流をＩとし、パルス信号の周期をｆとし、出力端子Ｔａに対して負荷側の静電容量をＣとすると、出力電圧Ｖｏｕｔのうち変動分は、（Ｉ／ｆ・Ｃ）に比例する。変動分とは、出力電圧Ｖｏｕｔのうち時間経過に伴って変動するノイズ電圧のことである。負荷側の静電容量とは、出力端子Ｔａ（或いは、負荷）とグランドとの間に配置される静電容量である。そして、負荷側の静電容量が大きくなるほど、出力電圧Ｖｏｕｔの変動が抑制されることになる。
【００２６】
そこで、コンデンサ２０が昇圧回路１０の出力端子とグランドとの間に正常に接続されているとき、コンデンサ２０は、上記負荷側の容量として、出力端子Ｔａから出力される出力電圧Ｖｏｕｔの変動を抑制する。このため、出力電圧Ｖｏｕｔは、所定範囲Ｖｗ内に収まることになる。所定範囲Ｖｗは、出力電圧Ｖｏｕｔの正常範囲として想定されている範囲である。
【００２７】
コンデンサ２０にオープン故障が生じているときには、コンデンサ２０による出力電圧Ｖｏｕｔの変動の抑制が実施されなくなる。このため、出力電圧Ｖｏｕｔは、所定範囲Ｖｗから外れる（図３（ａ）参照）。つまり、コンデンサ２０にオープン故障が生じているときには、出力電圧Ｖｏｕｔが所定範囲Ｖｗの下限電圧Ｖｍｉｎよりも小さくなったり、或いは出力電圧Ｖｏｕｔが所定範囲Ｖｗの上限電圧Ｖｍａｘよりも大きくなったりする。下限電圧Ｖｍｉｎは、本発明に係る下限値に対応する値である。上限電圧Ｖｍａｘは、本発明に係る上限値に対応する値である。オープン故障とは、昇圧回路１０の出力端子とコンデンサ２０の正極電極と間が開放されている状態、或いは、コンデンサ２０の負極電極とグランドとの間が開放されている状態のうちいずれかの場合である。コンデンサ２０にショート故障が生じているときには、コンデンサ２０に充電されなくなるので、出力電圧Ｖｏｕｔは、所定範囲Ｖｗの下限電圧Ｖｍｉｎよりも小さくなる（図３（ｂ）参照）。ショート故障とは、コンデンサ２０の正極電極および負極電極の間が短絡されている場合である。
【００２８】
そこで、本実施形態の診断回路６０は、コンパレータ３０の出力信号に基づいてコンパレータ３０の診断処理を実行する。以下、コンデンサ２０の診断処理について図４を参照して説明する。図４は、コンデンサ２０の診断処理を示すフローチャートである。コンデンサ２０の診断処理は、繰り返し実施される。
【００２９】
まず、ステップ１００では、マルチプレクサ３０を制御して、センサ６０のおよびＡＤ変換回路４０の間を接続し、かつコンデンサ２０の正極電極およびＡＤ変換回路４０の間を開放する。これに伴い、ＡＤ変換回路４０は、センサ６０の出力信号をデジタル信号に変換する。この変換したデジタル信号は、電子制御装置に付与される。このとき、ＡＤ変換回路４０から出力されるデジタル信号は、電子制御装置の各種の制御処理に用いられる。
【００３０】
次に、ステップ１１０において、マルチプレクサ３０を制御して、センサ６０およびＡＤ変換回路４０の間を開放し、かつコンデンサ２０の正極電極およびＡＤ変換回路４０の間を接続する。これに伴い、ＡＤ変換回路４０は、コンデンサ２０の出力電圧をデジタル信号に変換する。
【００３１】
次に、ステップ１２０において、ＡＤ変換回路４０から出力されるデジタル信号に基づいて、コンデンサ２０の出力電圧Ｖが所定範囲Ｖｗの上限電圧Ｖｍａｘ（図４中上限と記す）よりも高いか否かを判定する。
【００３２】
このとき、コンデンサ２０の出力電圧Ｖが上限電圧Ｖｍａｘよりも高いときには、ステップ１２０でＹＥＳと判定する。これに伴い、コンデンサ２０の出力電圧Ｖが上限電圧Ｖｍａｘよりも高くなる期間（以下、上限電圧超え期間という）が一定期間以上継続したか否かを判定する（ステップ１３０）。
【００３３】
このとき、上限電圧超え期間が一定期間以上継続したときには、ステップ１３０においてＹＥＳと判定する。この場合、上述のオープン故障によってコンデンサ２０に異常が生じていると診断する（ステップ１４０）。この診断した診断結果をダイアグノーシスとして電子制御装置に出力する。
【００３４】
また、上記ステップ１３０において、上限電圧超え期間が一定期間未満であるときには、ＮＯと判定して、ステップ１５０に進む。さらに、上記ステップ１２０において、コンデンサ２０の出力電圧Ｖが上限電圧Ｖｍａｘ未満であるときには、ＮＯと判定して、ステップ１５０に進む。
【００３５】
次に、ステップ１５０では、コンデンサ２０の出力電圧Ｖが所定範囲Ｖｗの下限電圧Ｖｍｉｎ（図４中下限と記す）よりも低いか否かを判定する。このとき、コンデンサ２０の出力電圧Ｖが下限電圧Ｖｍｉｎよりも低いときには、ステップ１５０でＹＥＳと判定する。これに伴い、コンデンサ２０の出力電圧Ｖが下限電圧Ｖｍｉｎよりも低い期間（以下、下限電圧低下期間という）が一定期間以上継続したか否かを判定する（ステップ１６０）。
【００３６】
このとき、下限電圧低下期間が一定期間以上継続したときには、ステップ１６０においてＹＥＳと判定する。この場合には、上述したショート故障、或いはオープン故障によってコンデンサ２０に異常が生じていると診断する（ステップ１４０）。この診断した診断結果をダイアグノーシスとして電子制御装置に出力する。
【００３７】
また、上記ステップ１５０において、コンデンサ２０の出力電圧Ｖが下限電圧Ｖｍｉｎよりも高いときには、コンデンサ２０が正常であると診断する（ステップ１７０）。また、上記ステップ１６０において、下限電圧低下期間が一定期間未満であるときには、コンデンサ２０が正常であると診断する（ステップ１７０）。このようにコンデンサ２０が正常であると診断すると、この診断した診断結果をダイアグノーシスとして電子制御装置に出力する。
【００３８】
以上説明した本実施形態によれば、電源装置１は、バッテリ電圧を昇圧してこの昇圧した電圧を電源電圧として出力する昇圧回路１０と、昇圧回路１０から負荷に出力される電源電圧の変動を抑制するコンデンサ２０と、アナログ信号を出力するセンサ５０とを備える。ＡＤ変換回路４０はアナログ信号をデジタル信号に変換する。マルチプレクサ３０は、コンデンサ２０およびセンサ６０のうち一方とＡＤ変換回路４０との間を接続し、かつコンデンサ２０およびセンサ６０のうち前記一方以外の他方とＡＤ変換回路４０との間を開放する。センサ６０とＡＤ変換回路４０との間をマルチプレクサ３０が接続したときに、ＡＤ変換回路４０は、センサ６０から出力される出力信号をデジタル信号に変換する。コンデンサ２０とＡＤ変換回路４０との間をマルチプレクサ３０が接続したときに、ＡＤ変換回路４０は、コンデンサ２０の出力電圧をデジタル信号に変換する。診断回路５０は、ＡＤ変換回路４０から出力されるデジタル信号に基づいてコンデンサ２０に異常が生じているか否かを判定する。
【００３９】
以上により、診断回路６０は、コンデンサ２０を充放電させることなく、ＡＤ変換回路４０の出力信号に応じてコンデンサ２０の異常診断を実施する。このため、コンデンサ２０の異常診断に要する時間を短くすることができる。したがって、コンデンサ２０の故障診断を応答性の高いリアルタイム処理として実現することができる。つまり、コンデンサ２０の故障診断において、いわゆる“リアルタイム処理性”を高めることができる。
【００４０】
また、上記特許文献１の電源装置では、コンデンサ２０の放電時のコンデンサ２０の出力電圧に応じてコンデンサ２０の故障診断を実施する。このため、コンデンサ２０の放電後には、コンデンサ２０から負荷に十分に高い電圧を与えることができない。したがって、コンデンサ２０の故障診断を実施できるタイミングは、電源スイッチがオンされた直後のタイミング等に限られる。
【００４１】
これに対して、本実施形態では、コンデンサ２０を充放電させることなく、コンデンサ２０の出力電圧に応じてコンデンサ２０の故障診断を実施する。よって、コンデンサ２０の故障診断を常時、実施することができる。
【００４２】
本実施形態では、センサ６０とＡＤ変換回路４０との間をマルチプレクサ３０が接続したときに、ＡＤ変換回路４０は、センサ６０から出力される出力信号をデジタル信号に変換する。このため、センサ６０の出力信号をデジタル信号に変換するための専用のＡＤ変換回路をＡＤ変換回路４０以外に設ける場合に比べて、電源装置１の回路規模を小さくすることができる。
【００４３】
本実施形態では、診断回路６０は、コンデンサ２０の出力電圧が一定期間以上にわたって上限電圧Ｖｍａｘよりも大きくなっているときに、コンデンサ２０に異常が生じていると診断する。診断回路６０は、コンデンサ２０の出力電圧が一定期間以上にわたって下限電圧Ｖｍｉｎよりも小さくなっているときに、コンデンサ２０に異常が生じていると診断する。したがって、ノイズ等の影響によりコンデンサ２０の出力電圧が一時的に所定範囲Ｖｗ内から外れたときに、コンデンサ２０に異常が生じていると判定することを避けることができる。このため、診断回路６０においてコンデンサ２０の故障診断の精度を高めることができる。
【００４４】
（他の実施形態）
上述の実施形態では、本発明の電源回路として、入力電圧を昇圧してこの昇圧した電圧を負荷に出力する昇圧回路１０を用いた例について説明したが、これに代えて、入力電圧を降圧してこの降圧した電圧を負荷に出力する降圧回路を本発明の電源回路としてもよい。この場合、降圧トランスを用いて構成した降圧回路を本発明の電源回路としてもよい。或いは、スイッチングレギュレータによって構成した降圧回路を本発明の電源回路としてもよい。
【００４５】
上述の実施形態では、本発明の昇圧回路１０としてチャージポンプ型昇圧回路を用いた例について説明したが、これに代えて、昇圧回路１０としてチャージポンプ型昇圧回路以外の各種の昇圧回路を用いてもよい。例えば、昇圧トランスを用いて構成した昇圧回路を本発明の昇圧回路１０としてもよい。或いは、スイッチングレギュレータによって構成した昇圧回路を本発明の昇圧回路１０としてもよい。
【００４６】
上記実施形態では、下限電圧低下期間が一定期間以上継続したとき、或いは、上限電圧超え期間が一定期間以上継続したときに、診断回路６０がコンデンサ２０に異常が生じていると診断した例について説明したが、これに限らず、コンデンサ２０の出力電圧Ｖが下限電圧Ｖｍｉｎよりも低くなったとき、或いは、コンデンサ２０の出力電圧Ｖが上限電圧Ｖｍａｘよりも高くなったときに、診断回路６０がコンデンサ２０に異常が生じていると診断してもよい。
【００４７】
本発明の電源回路を実施する際には、本発明の電源回路を車両、船舶、飛行機等の移動体に搭載してもよく、或いは各種の定置型の機器に本発明の電源回路を適用してもよい。
【００４８】
なお、本発明は上記した実施形態に限定されるものではなく、特許請求の範囲に記載した範囲内において適宜変更が可能である。
【符号の説明】
【００４９】
１      電源装置
１０    昇圧回路（電源回路、チャージポンプ型電源回路）
１３    パルス発生回路
２０    コンデンサ
３０    マルチプレクサ（選択回路）
４０    ＡＤ変換回路（アナログデジタル変換回路）
５０    診断回路（判定回路）
【図１】
2014225954.tif 000003
【図２】
2014225954.tif 000004
【図３】
2014225954.tif 000005
【図４】
2014225954.tif 000006